(57)【要約】【課題】負荷機器に対し居室の存在・不在状態に基づく所定モードの設定を伝達するための信号線ケーブルを延設する作業手間を要さず、居室の美観を維持できる制御装置を提供すること。【解決手段】居室内における利用者の存在若しくは不在状態を検知する検知手段と、検知手段からの検知信号に基づき負荷機器に対する居室の利用モード若しくは非利用モードに設定する制御部１３と、制御部１３が設定した何れかのモードのモード設定信号を無線送信する無線送信部１９と、を有する処理手段１１と、処理手段１１から離間した居室内の所定箇所に設けられ、モード設定信号を受信する無線受信部２１，３１と、モード設定信号に基づき所定の負荷機器２８，９Ａ，９Ｂ及び９Ｃに電力を供給若しくは遮断するスイッチ部２７，３７ａ，３７ｂ及び３７ｃと、を有する遠隔タップと、から構成されている。【選択図】図３
0003170884.tif 000002
【実用新案登録請求の範囲】
【請求項１】
適宜設定されるモードに基づいて各居室毎の負荷機器を制御可能な制御装置であって、
前記居室内における利用者の存在若しくは不在状態を検知する検知手段と、
該検知手段からの検知信号を受信して該検知信号に基づき前記負荷機器に対する居室の利用モード若しくは非利用モードに設定する制御部と、該制御部が設定した何れかの前記モードのモード設定信号を無線送信する無線送信部と、を有する処理手段と、
該処理手段から離間した前記居室内の所定箇所に設けられ、前記モード設定信号を受信する無線受信部と、該無線受信部が受信したモード設定信号に基づき所定の負荷機器に電力を供給若しくは遮断するスイッチ部と、を有する遠隔タップと、
から構成されていることを特徴とする制御装置。
【請求項２】
前記遠隔タップは、前面が前記居室内の利用者に面する外面パネルを有しており、該外面パネルの前面側に前記無線受信部が設けられ、背面側に前記スイッチ部が設けられていることを特徴とする請求項１に記載の制御装置。
【請求項３】
前記遠隔タップは外部電源に接続されており、該外部電源により前記無線受信部がモード設定信号を受信するための待機電力、及び前記所定の負荷機器に供給する供給電力を得ていることを特徴とする請求項１または２に記載の制御装置。
【請求項４】
前記処理手段は、前記検知手段が利用者の不在状態を検知した検知信号に基づき前記無線送信部により居室の非利用モードのモード設定信号を送信した後、前記検知手段が利用者の存在状態を検知した検知信号に基づき前記無線送信部により居室の利用モードのモード設定信号を送信するまでの間、居室の非利用モードを継続する所定の非利用モード継続信号を送信するようになっており、
前記遠隔タップは、前記処理手段から送信される前記非利用モード継続信号の受信が継続している場合に、前記スイッチ部により前記所定の負荷機器への電力遮断を継続し、前記処理手段から送信される前記非利用モード継続信号の受信が途絶えた場合に、前記スイッチ部により前記所定の負荷機器に電力を供給することを特徴とする請求項１ないし３のいずれかに記載の制御装置。
【請求項５】
前記処理手段は、前記検知手段が利用者の不在状態を検知した検知信号を受信した場合に、前記無線送信部により居室の非利用モードとして所定波長のモード設定信号を送信し、前記検知手段が利用者の存在状態を検知した検知信号を受信した場合に、前記無線送信部により居室の利用モードとして前記所定波長とは異なる波長のモード設定信号を送信し、前記無線送信部により居室の非利用モードのモード設定信号を送信した後、居室の利用モードのモード設定信号を送信するまでの間、前記非利用モード継続信号として前記所定波長と同じ波長の信号を所定のインターバルで継続して送信することを特徴とする請求項４に記載の制御装置。
【請求項６】
前記検知手段は、前記居室に入退室するための開閉扉の動きを検知する扉センサ及び／または、前記居室内における利用者の存在若しくは不在状態を検知する人感センサであることを特徴とする請求項１ないし５のいずれかに記載の制御装置。
【考案の詳細な説明】
【技術分野】
【０００１】
本考案は、適宜設定されるモードに基づいて各居室毎の負荷機器を制御可能な制御装置に関する。
【背景技術】
【０００２】
従来の制御装置は、居室内に入退室するための開閉扉キーのキーユニットへの挿し抜き状態を検出することにより、居室内における利用者の存在若しくは不在状態を判断して、制御部が、この判断に基づいて負荷機器を所定モードに設定している（例えば、特許文献１参照）。
【先行技術文献】
【特許文献】
【０００３】
【特許文献１】特開２００９−７４７４２号公報（第１０頁、第６図）
【考案の概要】
【考案が解決しようとする課題】
【０００４】
しかしながら、特許文献１にあっては、制御部が、居室内の各所に設けられた個々の負荷機器に対し、存在・不在状態に基づく所定モードを設定する必要があるため、制御部と個々の負荷機器との間で、所定モードの設定を伝達するための信号線ケーブルを延設する作業手間を要するばかりか、居室の美観を損なう虞がある。
【０００５】
本考案は、このような問題点に着目してなされたもので、負荷機器に対し居室の存在・不在状態に基づく所定モードの設定を伝達するための信号線ケーブルを延設する作業手間を要さず、居室の美観を維持できる制御装置を提供することを目的とする。
【課題を解決するための手段】
【０００６】
前記課題を解決するために、本考案の制御装置は、
適宜設定されるモードに基づいて各居室毎の負荷機器を制御可能な制御装置であって、
前記居室内における利用者の存在若しくは不在状態を検知する検知手段と、
該検知手段からの検知信号を受信して該検知信号に基づき前記負荷機器に対する居室の利用モード若しくは非利用モードに設定する制御部と、該制御部が設定した何れかの前記モードのモード設定信号を無線送信する無線送信部と、を有する処理手段と、
該処理手段から離間した前記居室内の所定箇所に設けられ、前記モード設定信号を受信する無線受信部と、該無線受信部が受信したモード設定信号に基づき所定の負荷機器に電力を供給若しくは遮断するスイッチ部と、を有する遠隔タップと、
から構成されていることを特徴としている。
この特徴によれば、処理手段と処理手段から離間した遠隔タップとの間で、居室の利用・非利用モードのモード設定信号を無線信号で送受信するため、処理手段と遠隔タップとの間に別段の信号線ケーブルを配線する手間を要さず、居室の外観体裁が良いばかりか、検知手段及び処理手段が既設である場合に、無線送信部及び遠隔タップを有線を介さず増設するだけで、制御装置を容易に構成できる。
【０００７】
本考案の制御装置は、
前記遠隔タップは、前面が前記居室内の利用者に面する外面パネルを有しており、該外面パネルの前面側に前記無線受信部が設けられ、背面側に前記スイッチ部が設けられていることを特徴としている。
この特徴によれば、居室内の利用者に面する外面パネルの前面側に無線受信部を配し、スイッチ部及びスイッチ部で入切される配線コード類を、利用者の目に付かない外面パネルの背面側に隠すことができるので、居室の美観が向上する。
【０００８】
本考案の制御装置は、
前記遠隔タップは外部電源に接続されており、該外部電源により前記無線受信部がモード設定信号を受信するための待機電力、及び前記所定の負荷機器に供給する供給電力を得ていることを特徴としている。
この特徴によれば、遠隔タップの無線受信部がモード設定信号受信のため常時必要とする待機電力と、負荷機器への供給電力とのいずれも外部電源から得ているため、配線コードを纏めて容易に延設できる。
【０００９】
本考案の制御装置は、
前記処理手段は、前記検知手段が利用者の不在状態を検知した検知信号に基づき前記無線送信部により居室の非利用モードのモード設定信号を送信した後、前記検知手段が利用者の存在状態を検知した検知信号に基づき前記無線送信部により居室の利用モードのモード設定信号を送信するまでの間、居室の非利用モードを継続する所定の非利用モード継続信号を送信するようになっており、
前記遠隔タップは、前記処理手段から送信される前記非利用モード継続信号の受信が継続している場合に、前記スイッチ部により前記所定の負荷機器への電力遮断を継続し、前記処理手段から送信される前記非利用モード継続信号の受信が途絶えた場合に、前記スイッチ部により前記所定の負荷機器に電力を供給することを特徴としている。
この特徴によれば、処理手段からの非利用モード継続信号の受信が途絶えた場合を、処理手段に不測の不具合が生じた場合として、この場合に所定の負荷機器に電力を供給するようにスイッチ部を切り替えることで、より安全側に配慮した制御ができる。
【００１０】
本考案の制御装置は、
前記処理手段は、前記検知手段が利用者の不在状態を検知した検知信号を受信した場合に、前記無線送信部により居室の非利用モードとして所定波長のモード設定信号を送信し、前記検知手段が利用者の存在状態を検知した検知信号を受信した場合に、前記無線送信部により居室の利用モードとして前記所定波長とは異なる波長のモード設定信号を送信し、前記無線送信部により居室の非利用モードのモード設定信号を送信した後、居室の利用モードのモード設定信号を送信するまでの間、前記非利用モード継続信号として前記所定波長と同じ波長の信号を所定のインターバルで継続して送信することを特徴としている。
この特徴によれば、非利用モードを継続する非利用モード継続信号が、非利用モードを設定するためのモード設定信号と同じ波長であって、所定のインターバルで継続送信される信号であることで、居室の非利用モードの設定及び継続の制御がし易い。
【００１１】
本考案の制御装置は、
前記検知手段は、前記居室に入退室するための開閉扉の動きを検知する扉センサ及び／または、前記居室内における利用者の存在若しくは不在状態を検知する人感センサであることを特徴としている。
この特徴によれば、検知手段として、汎用性の高い扉センサ及び／または人感センサを採用することで、制御装置を安価且つ容易に構成できる。
【図面の簡単な説明】
【００１２】
【図１】実施例１における制御装置を示す構成図である。
【図２】電源ユニットの配線の状況を示す概略図である。
【図３】遠隔タップの構成を示す概略図である。
【図４】利用客が入室する場合のタイミングチャートである。
【図５】利用客が退室する場合のタイミングチャートである。
【図６】実施例２における制御装置を示す構成図である。
【考案を実施するための形態】
【００１３】
本考案に係る制御装置を実施するための形態を実施例に基づいて以下に説明する。
【実施例１】
【００１４】
実施例１に係る制御装置につき、図１から図５を参照して説明する。
【００１５】
先ず、図１に、本発明の実施例１としてホテル等の室内用空調システムの全体構成が示される。本発明の居室であるホテルの客室１は、カードキーにて開錠可能な開閉扉５で入退室できる。客室１内は、デスク３とツインベッド４等が配設された主室１０と、浴室２とに主に区画され、浴室用照明６、ベッド用照明７、入口用照明８が、それぞれ電源ケーブルを介し、本発明の処理手段としての電源ユニット１１に接続されており、更に主室用照明９Ａ，９Ｂ及び９Ｃ、テレビなどの負荷機器としての電気機器が、それぞれ外部電源に接続されている。また、主室１０の適所には、外部電源に接続された遠隔タップ２０，３０が配設されている。
【００１６】
図１，３に示されるように、先ず遠隔タップ２０は、主として、後述するモード設定信号としての赤外線を受信する無線受信部としての赤外線受信部２１と、赤外線受信部２１で受信した赤外線に基づき、外部電源に接続された電源ソケット２８への電力ケーブルを開閉することで、外部電力を遮断若しくは供給する切替部２６及びスイッチ部２７と、から構成される。
【００１７】
遠隔タップ２０の構造を詳述すると、内部に切替部２６、スイッチ部２７及び前記電力ケーブルを収納し、客室１の利用者に面する外面パネル２２ａに電源ソケット２８を設けた筐体２２が、客室１の電源ユニット１１から離間した比較的目立たない箇所（例えばナイトテーブル裏側）に配設されるとともに、この筐体２２から延びた信号ケーブルを介して接続された赤外線受信部２１が、後述する電源ユニット１１の赤外線送信部１９から送信される赤外線を受信し易い箇所に配置されている。また遠隔タップ２０は、赤外線受信部２１が赤外線を受信するための待機電力と、電源ソケット２８に供給するための供給電力とを、外部電源から得ている。
【００１８】
次に、別の遠隔タップ３０は、上記した遠隔タップ２０と同様の赤外線受信部３１と、赤外線受信部３１で受信した赤外線に基づき、外部電源に接続された各主室用照明９Ａ，９Ｂ及び９Ｃへの電力ケーブルを一律に開閉することで、電力を遮断若しくは供給する切替部３６、スイッチ部３７ａ，３７ｂ及び３７ｃとから構成される。遠隔タップ３０の詳細構造は、上記遠隔タップ２０と同様であり、遠隔タップ３０の筐体３２は、客室１の利用者に面する外面パネル３２ａを有し、客室１の比較的目立たないデスク３の裏側等に配設される。また遠隔タップ３０は、赤外線受信部３１が赤外線を受信するための待機電力と、各主室用照明９Ａ，９Ｂ及び９Ｃに供給するための供給電力とを、外部電源から得ている。
【００１９】
次に、図１に示されるように、開閉扉５には、開閉扉５の動きすなわち開状態若しくは閉状態を検出する周知のマグネット式等の扉センサ４２が設けられており、この扉センサ４２は、信号ケーブルを介し電源ユニット１１に接続されている。
【００２０】
主室１０の略中央の天井面には、主室１０内における人の僅かな動作に依りその存在を検出する周知の赤外線式等の人感センサ４０が設けられ、また浴室２の天井面に同様の人感センサ４１が設けられており、これ等人感センサ４０，４１は、信号ケーブルを介し電源ユニット１１に接続されている。すなわちこれ等扉センサ４２及び人感センサ４０，４１は、客室１内における利用者の存在若しくは不在状態を検知する本発明の検知手段を構成している。
【００２１】
また、人感センサ４０，４１は、それぞれ主室１０内及び浴室２内の略全域を感知可能領域としているが、主室１０の人感センサ４０は、客室１内の開閉扉５付近である入口部１ａ周辺領域を感知できないものとする。
【００２２】
図１及び図２に示されるように、１２は、それぞれの客室１に個別に配設される負荷機器としてのいわゆるパッケージ型及びファンコイル型の室内空調機であって、客室１の室温を検知する図示しない室温センサと、利用客が所望する設定温度を設定入力可能な操作部としての室温操作パネル１８と、これらが接続される統制部と、を有し、後述する利用モードにおいて、利用客が所望する設定温度に対する前記した室温センサで検知された温度に基づいて作動し、適宜設定された風量・温度の空気を客室１内に送風するようになっている。室内空調機１２の内部構造について詳細に図示しないが、循環路を形成する流体管、この流体管の内部に熱交換流体を循環させるポンプ、送風用のファン等の各部品を有しており、これら各部品は統制部の制御に基づいて作動する。
【００２３】
電源ユニット１１により設定されるモードについて説明すると、開閉扉５が開閉動作された後、すなわち客室１内に利用者が存在する状態にある場合に、後述のように客室１の利用者が設定した設定温度に基づいて室内空調機１２が作動され、且つ電源ソケット２８及び主室用照明９Ａ，９Ｂ及び９Ｃに電力が供給される利用モード若しくは暫定利用モードとしている。また、客室１から利用者が退室する状態にある場合に、利用者が不在の客室１を後述のように空調し、且つ電源ソケット２８及び主室用照明９Ａ，９Ｂ及び９Ｃへの電力が遮断される非利用モードとしている。
【００２４】
図２に示されるように、電源ユニット１１は、端子ｄ１〜ｄ１０、端子ｅ１〜ｅ７、端子ｆ１〜ｆ８、及び端子ｇ１〜ｇ２を備えるとともに、これら各端子が接続される本発明の制御部１３を有している。また制御部１３に、後述するタイマ１５、温度設定手段としてのスイッチ部１４が接続されるとともに、信号線を介して図示しない室温センサと連結され、また信号線を介して室内空調機１２と接続されており、更に後述する設定モードに基づき所定スパン・回数の赤外線を送信する無線送信部としての赤外線送信部１９と接続されている。尚、赤外線送信部１９は電源ユニット１１から延びる信号線を介し、全ての遠隔タップ２０，３０の赤外線受信部２１，３１に対し赤外線を送信し易い所定箇所に配設されている。
【００２５】
電源ユニット１１には、端子ｄ９〜ｄ１０を介して外部電源が入力されており、端子ｄ９は端子ｄ１，ｄ３，ｄ５そしてｄ７にそれぞれ直接に接続され、また端子ｄ１０は端子ｄ２，ｄ４，ｄ６そしてｄ８に、それぞれスイッチ１７ａ，１７ｂ，１７ｃそして１７ｄを介して接続されている。端子ｄ１，ｄ２には操作スイッチ８ａを備えた入口用照明８が電源ケーブルを介して接続され、端子ｄ３，ｄ４にはコンセント４３が同様に接続され、端子ｄ５，ｄ６には操作スイッチ６ａを備えた浴室用照明６が接続され、端子ｄ７，ｄ８には、操作スイッチ７ａを備えたベッド用照明７が接続されている。各スイッチ１７ａ〜１７ｄは、それぞれ切替部１６ａ〜１６ｄを介して接続された制御部１３により、入り切り可能に成っている。
【００２６】
端子ｅ１〜ｅ３には、室内空調機１２用の外部電源が接続され、端子ｅ４〜ｅ７には、室内空調機１２への出力線が接続されている。
【００２７】
端子ｆ１，ｆ２には、扉センサ４２が接続されるとともに、電源ユニット１１内で制御部１３に接続されている。制御部１３は、開閉扉５の閉状態においてはｆ１とｆ２とにかけての回路が閉状態となり、または開閉扉５の開状態においては回路が開状態となることで、開閉扉５の開状態若しくは閉状態を検知する。
【００２８】
端子ｆ３〜ｆ５には、主室１０の人感センサ４０が接続されるとともに、電源ユニット１１内で制御部１３に接続されている。制御部１３は、人感センサ４０の感知状態においてはｆ３とｆ４とにかけての回路が閉状態となり、または人感センサ４０の不感状態においてはｆ３とｆ５とにかけての回路が閉状態となることで、主室１０における利用者の存在状態若しくは不在状態を検知する。
【００２９】
端子ｆ６〜ｆ８には、浴室２の人感センサ４１が接続されるとともに、電源ユニット１１内で制御部１３に接続されている。制御部１３は、人感センサ４１の感知状態においてはｆ６とｆ７とにかけての回路が閉状態となり、または人感センサ４１の不感状態においてはｆ６とｆ８とにかけての回路が閉状態となることで、浴室２における利用者の存在状態若しくは不在状態を検知する。
【００３０】
また、端子ｇ１，ｇ２には、通信線が接続可能になっており、この通信線を介し接続した例えばホテルのフロントや統制室等に、制御部１３によるモード設定状況を送信することができる。
【００３１】
上述した客室１内の負荷機器としての各照明６〜８、主室用照明９Ａ，９Ｂ及び９Ｃ、電源ソケット２８及び室内空調機１２等は、制御部１３により、利用モード、暫定利用モード、若しくは非利用モードの何れかのモードに設定制御される。ここで利用モードとは、客室１内に利用者が存在する状態におけるモードであり、暫定利用モードとは、客室１内に利用者が暫定的に存在するとした状態におけるモードであり、そして非利用モードとは、客室１内に利用者が不在の状態におけるモードである。制御部１３は、扉センサ４２及び人感センサ４０，４１による検出に基づき、前記した利用モード、暫定利用モード、若しくは非利用モードへの設定を行う。
【００３２】
図２に示されるように、各照明６〜８は、利用モード及び暫定利用モードにおいては、各スイッチ１７ａ，１７ｃ及び１７ｄが入り状態になることで外部電源が接続されることになり、入口用照明８、浴室用照明６及びベッド用照明７は各々の操作スイッチ８ａ、６ａ及び７ａによるオン/オフ操作に基づき点灯／消灯操作可能になっている。また各照明６〜８は、非利用モードにおいては、各スイッチ１７ａ，１７ｃ及び１７ｄが切り状態になることで外部電源の接続が遮断されることになり、全て消灯するようになっている。
【００３３】
同様に、主室用照明９Ａ，９Ｂ及び９Ｃは、利用モード及び暫定利用モードにおいては、切替部３６によりスイッチ部３７ａ，３７ｂ及び３７ｃが一律に入り状態になることで外部電源が接続されることになり、各主室用照明９Ａ，９Ｂ及び９Ｃは、それぞれ、操作スイッチ９ａ，９ｂ及び９ｃによるオン/オフ操作に基づき点灯／消灯操作可能になっている。また各主室用照明９Ａ，９Ｂ及び９Ｃは、非利用モードにおいては、各スイッチ部３７ａ，３７ｂ及び３７ｃが一律に切り状態になることで外部電源の接続が遮断されることになり、全て消灯するようになっている。
【００３４】
また、電源ソケット２８は、利用モード及び暫定利用モードにおいては、切替部２６によりスイッチ部２７が入り状態になることで外部電源が接続され、例えばテレビやパソコンなど電気負荷機器に電源供給する。また、電源ソケット２８は、非利用モードにおいては、スイッチ部２７が切り状態になることで外部電源の接続が遮断されることになり、電気負荷機器に電源供給されなくなる。
【００３５】
次に、室内空調機１２は、利用モード及び暫定利用モードにおいては、客室１の利用者が室温操作パネル１８を押圧操作することで、室温を任意に空調制御可能になっている。
【００３６】
室温操作パネル１８は、主室１０内の壁面等に、客室利用者により操作可能に配設されており、特に図示しないが、風量を設定可能に室内空調機１２を作動させるＯＮスイッチと、所望の室内温度を設定可能な温度設定スイッチと、設定温度を表示する設定温度表示部と、室内空調機１２の作動を停止するＯＦＦスイッチと、を備えている。更に、ＯＮスイッチは、ＬＯスイッチ、ＨＩスイッチ、ＡＵＴＯスイッチの３種のスイッチからなる。利用モード及び暫定利用モードにおいて、いずれかのスイッチを押圧すれば、押圧された所定の設定温度・風量で起動するようになっている。また、ＯＦＦスイッチを押圧すれば、室内空調機１２の作動は停止する。
【００３７】
室内空調機１２は、非利用モードにおいては、後述する条件に応じて、室内空調機１２に対しオン／オフ制御を自動で繰返し反復して行う。例えば、冷房季においては、予め設定した上限温度（例えば３０度若しくは２７度）よりも客室１内の温度を低く維持するように、前記した室温センサ等を用いて室内空調機１２を自動でオン／オフ制御するものである。冷房季における前記上限温度は、客室の利用状態において通常所望に設定される設定温度（本実施例では２４度）よりも高めで、且つ外気温よりも低めに設定されており、客室１の非利用状態においても、客室１の温度を一定程度低くして、入室の際の快適性を追求したものである。また、暖房季においては、予め設定した下限温度（例えば１７度若しくは２０度）よりも客室１内の温度を高く維持するように室内空調機１２を制御するものである。暖房季における前記下限温度は、客室の利用状態において通常所望に設定される設定温度よりも低めで、且つ外気温よりも高めに設定されており、客室１の非利用状態においても、客室１の温度を一定程度高くして、入室の際の快適性を追求したものである。
【００３８】
尚、室内空調機は、非利用モードにおいては、必ずしも前述したオン／オフ制御を繰返し反復して行うに限られず、例えば非利用モードでは、空調を常にオフに制御してもよい。
【００３９】
各モードの設定切替について、図４，５のタイミングチャートを参照して詳述する。
【００４０】
先ず、非利用モードから利用モードへの設定切替について説明する。
【００４１】
図４に示されるように、利用客の客室への入室の場合について説明すると、ｔ０〜ｔ１まで非利用モードＬすなわち室内が不在の客室１に、ｔ１において利用者が入室する、すなわち開閉扉５を一時的に開状態にし再び閉状態することで、扉センサ４２が開閉扉５の開状態及び閉状態を検出し、開状態及び閉状態の検出信号が制御部１３に発信される。この開状態及び閉状態の検出信号を受信した制御部１３は、負荷機器である各照明６〜８、９Ａ，９Ｂ及び９Ｃ、電源ソケット２８及び空調機１２等を非利用モードＬから暫定利用モードＭに設定するとともに、タイマ１５による計時を開始する。
【００４２】
また制御部１３は、上記した暫定利用モードＭの設定とともに、赤外線送信部１９を介し後述する非利用モード設定時に送信する所定波長とは異なる波長の赤外線を、所定の回数及びスパン（本実施例では２回で０．１秒）で送信する。赤外線受信部２１を介し当該スパンの赤外線を受信した遠隔タップ２０の制御部２３は、切替部２６を介しスイッチ部２７を閉じることで、電源ソケット２８を介しテレビ等の負荷機器に電力を供給する。同様に、赤外線受信部３１を介し当該赤外線を受信した遠隔タップ３０の制御部３３は、切替部３６を介しスイッチ部３７ａ，３７ｂ及び３７ｃを閉じることで、各主室用照明９Ａ，９Ｂ及び９Ｃに電力を供給する。尚、前記した暫定利用モードＭの設定時に送信される赤外線信号のスパン（０．１秒）は、後述する非利用モード設定時に送信する赤外線信号のスパン（０．３秒）よりも短いスパンであるため、暫定利用モードＭの設定とともに瞬時に所定の負荷機器に電力を供給できる。
【００４３】
本実施例における赤外線の波長は、浴室等に採用されるガラス材を透過できるなど信号透過性に優れ、また汎用性も高い略９８０ｎｍである。尚、隣接する客室でそれぞれ本発明に係る制御装置を用いる場合は、各制御装置ごとに互いに波長の異なる赤外線を採用することで、各制御装置の制御下にある当該遠隔タップのみを作動させることができ、隣接する非制御下の遠隔タップを誤作動させてしまう不具合を未然に防止できる。
【００４４】
ここで暫定利用モードＭにおける計時について詳述すると、制御部１３は、暫定利用モードＭに設定した時ｔ１からタイマ１５で計時された所定の初期時間Ａ（本実施例では３分間）の経過時ｔ２までの間、人感センサ４０，４１からの検出信号を無視し、初期時間Ａの経過時ｔ２から、ｔ１からタイマ１５で計時された所定の在室確認時間Ｂ（本実施例では３０分間）の経過時ｔ３までの時間（本実施例では２７分間）に、人感センサ４０若しくは人感センサ４１による人の感知の有無を待機する。すなわち制御部１３は、ｔ２からｔ３までの時間に、人感センサ４０若しくは人感センサ４１による人の感知が有る場合は、直ちに利用モードＮに設定するものであり、同じくｔ２からｔ３までの時間に、人感センサ４０，４１による人の感知が全く無い場合は、ｔ３以後を非利用モードＬに設定するものである（図５参照）。
【００４５】
尚、初期時間Ａ、及び在室確認時間Ｂは、必ずしもそれぞれ本実施例の３分間、及び３０分間に限られず、制御部１３に接続された図示しない設定部により、任意に設定変更できるものとする。例えば、初期時間Ａは、１〜７分間の範囲で１分単位で設定できるようにし、在室確認時間Ｂは、５〜７５分間までの範囲で５分単位で設定できるようにしてもよい。
【００４６】
開閉扉５を開状態から閉状態にして客室１に入室した利用者は、ｔ２からｔ３までの時間に、主室１０に設けられた人感センサ４０若しくは浴室２に設けられた人感センサ４１により感知されることになるため、図３に示されるように、感知後は利用モードＮに設定される。
【００４７】
次に、利用モードから非利用モードへの設定切替について説明する。
【００４８】
図５に示されるように、唯１人の利用客の客室からの退室の場合について説明すると、ｔ２０〜ｔ２１まで利用モードＮすなわち室内が在室の客室１から、ｔ２１において唯１人の利用客が退室する、すなわち開閉扉５を一時的に開状態にし再び閉状態することで、扉センサ４２が開閉扉５の開状態及び閉状態を検出し、開状態及び閉状態の検出信号が制御部１３に発信される。この開状態及び閉状態の検出信号を受信した制御部１３は、負荷機器である各照明６〜８、主室用照明９Ａ，９Ｂ及び９Ｃ、電源ソケット２８及び室内空調機１２等を利用モードＮから暫定利用モードＭに設定するとともに、タイマ１５による計時を開始する。
【００４９】
上述と同様に、制御部１３は、暫定利用モードＭに設定した時ｔ２１からタイマ１５で計時された所定の初期時間Ａの経過時ｔ２２までの間、人感センサ４０，４１からの検出信号を無視し、初期時間Ａの経過時ｔ２２から在室確認時間Ｂの経過時ｔ２３までの時間に、人感センサ４０若しくは人感センサ４１による人の感知の有無を待機する。
【００５０】
開閉扉５を開状態から閉状態にして唯１人の利用客が退室した客室１は、ｔ２２からｔ２３までの時間に、人感センサ４０若しくは人感センサ４１により感知されることが無いため、図５に示されるように、ｔ２３以後は非利用モードＬに設定される。
【００５１】
制御部１３は、上記した非利用モードＬの設定とともに、赤外線送信部１９を介し所定波長の赤外線を所定の回数及びスパン（本実施例では２回で０．３秒）で送信する。赤外線受信部２１を介し当該スパンの赤外線を受信した遠隔タップ２０の制御部２３は、切替部２６を介しスイッチ部２７を開くことで、負荷機器への電力供給を遮断する。同様に、赤外線受信部３１を介し当該赤外線を受信した遠隔タップ３０の制御部３３は、切替部３６を介しスイッチ部３７ａ，３７ｂ及び３７ｃを開くことで、各主室用照明９Ａ，９Ｂ及び９Ｃへの電力供給を遮断する。
【００５２】
更に、制御部１３は、非利用モードＬの継続中において、赤外線送信部１９を介し前記した所定波長と同じ波長の赤外線を、所定のインターバル（本実施例では１分）ごとに送信する。当該インターバルの赤外線信号は、電源ユニット１１が故障等の不具合を生じず正常に機能していることを示すとともに非利用モードＬを継続する非利用モード継続信号であり、各遠隔タップ２０，３０の制御部２３，３３は、赤外線受信部２１，３１を介し当該スパンの赤外線を受信している間は、非利用モードＬの継続中として、各スイッチ部２７，３７ａ，３７ｂ及び３７ｃの動作を行なわずに電力の遮断状態を維持する。尚、各遠隔タップ２０，３０の制御部２３，３３は、前記したスパンの赤外線を受信しない場合は、送信元である電源ユニット１１に故障等何らかの不具合を生じた非常状態と判断し、より安全を見て、各切替部２６，３６を介し各スイッチ部２７，３７ａ，３７ｂ及び３７ｃを閉じることで、所定の負荷機器である主室用照明９Ａ，９Ｂ及び９Ｃ、電源ソケット２８に接続したパソコン等へ電力を供給する。
【００５３】
以上説明したように、本実施例１に係る制御装置によれば、処理手段としての電源ユニット１１と、電源ユニット１１から離間した遠隔タップ２０との間で、客室１の利用・非利用モードのモード設定信号を無線信号である赤外線信号で送受信するため、電源ユニット１１と遠隔タップ２０との間に別段の信号線ケーブルを配線する手間を要さず、客室１の外観体裁が良いばかりか、検知手段である扉センサ４２及び人感センサ４０，４１及び電源ユニット１１が既設である場合に、無線送信部である赤外線送信部１９及び遠隔タップ２０を有線を介さず増設するだけで、制御装置を容易に構成できる。
【００５４】
また、客室１内の利用者に面する遠隔タップ２０，３０の外面パネル２２ａ，３２ａの前面側に赤外線受信部２１，３１を配し、スイッチ部２７，３７ａ，３７ｂ，３７ｃ及びこれ等スイッチ部２７，３７ａ，３７ｂ，３７ｃで入切される配線コード類を、利用者の目に付かない外面パネル２２ａ，３２ａの背面側に隠すことができるので、客室１の美観が向上する。
【００５５】
また、遠隔タップ２０，３０の赤外線受信部２１，３１がモード設定信号受信のため常時必要とする待機電力と、負荷機器への供給電力とのいずれも外部電源から得ているため、配線コードを纏めて容易に延設できる。
【００５６】
また、電源ユニット１１からの非利用モード継続信号の受信が途絶えた場合を、例えば電源ユニット１１への電源供給が遮断される等の不測の不具合が生じた場合として、この場合に所定の負荷機器である電源ソケット２８及び主室用照明９Ａ，９Ｂ及び９Ｃに電力を供給するようにスイッチ部２７，３７ａ，３７ｂ，３７ｃを切り替えることで、より安全側に配慮した制御ができる。
【００５７】
更に、非利用モードを継続する非利用モード継続信号が、非利用モードを設定するためのモード設定信号と同じ波長であって、所定のインターバルで継続送信される信号であることで、居室の非利用モードの設定及び継続の制御がし易い。
【００５８】
また、検知手段として、汎用性の高い扉センサ４２及び人感センサ４０，４１を採用することで、制御装置を安価且つ容易に構成できる。
【実施例２】
【００５９】
次に、実施例２に係る制御装置につき、図６を参照して説明する。尚、前記実施例１と同一構成で重複する説明を省略する。
【００６０】
実施例２における客室１には、この客室１の外部であって開閉扉５近傍の天井面に、客室１の外部における開閉扉５近傍の人の僅かな動作に依りその存在を検出する周知の赤外線式等の人感センサ５２が設けられており、この人感センサ５２は、信号ケーブルを介し電源ユニット１１に接続されている。すなわち人感センサ５２は、客室１の外部における開閉扉５近傍の利用者の存在若しくは不在状態を検知する本発明の検知手段を構成している。
【００６１】
利用客の客室１への入室の場合について説明すると、室内が不在の客室１に、利用者が入室する、すなわち開閉扉５を開くため客室１外の開閉扉５近傍に位置することで、扉センサ５２が開閉扉５近傍の利用者の存在状態を検出し、利用者の存在状態の検出信号が制御部１３に発信される。この開状態及び閉状態の検出信号を受信した制御部１３は、負荷機器である各照明６〜８、主室用照明９Ａ，９Ｂ及び９Ｃ、電源ソケット２８及び室内空調機１２等を非利用モードから暫定利用モードに設定するとともに、タイマ１５による計時を開始する。
【００６２】
このように、検知手段としての人感センサ５２が、客室１外部の開閉扉５近傍の利用者の存在状態を検知するため、利用者が直後に開閉扉５を開き客室１内に入室する際には、負荷機器である各照明６〜８、主室用照明９Ａ，９Ｂ及び９Ｃ、電源ソケット２８及び室内空調機１２等が暫定利用モードとして動作している状態に成っている。
【００６３】
制御部１３が、入室時の客室１外における開閉扉５近傍の利用者の存在を検知した検知手段である人感センサ５２の検知信号に基づき、負荷機器である各照明６〜８、主室用照明９Ａ，９Ｂ及び９Ｃ、電源ソケット２８及び室内空調機１２等を暫定利用モードＭに設定するため、開閉扉５を通過し入室する利用者に対し各照明６〜８、主室用照明９Ａ，９Ｂ及び９Ｃ、電源ソケット２８及び室内空調機１２等により快適さを与えることができるばかりか、客室１外における開閉扉５近傍の利用者の存在を検知した後において、人感センサ５２の検知信号に基づき、客室１内に利用者が存在する場合は各照明６〜８、主室用照明９Ａ，９Ｂ及び９Ｃ、電源ソケット２８及び室内空調機１２等を利用モードＮに設定し、若しくは不在の場合は非利用モードＬに設定するため、扉キーによる施解錠等の別段の動作に基づくモード設定を不要にできる。
【００６４】
上述した実施例１と同様に、制御部１３が、暫定利用モードＭにおいて初期時間Ａの経過までの間、検知信号を無視し、経過後から在室確認時間Ｂの経過まで客室１内が不在状態であることを更に条件として、負荷機器である各照明６〜８、主室用照明９Ａ，９Ｂ及び９Ｃ、電源ソケット２８及び室内空調機１２等を非利用モードＬに設定できるため、検出手段である人感センサ４０，４１が、退室の際に開閉扉５を開操作した直後の未だ客室１内の利用者を、利用者の存在状態として検知してしまう誤動作の虞を回避できる。
【００６５】
以上、本考案の実施例を図面により説明してきたが、具体的な構成はこれら実施例に限られるものではなく、本考案の要旨を逸脱しない範囲における変更や追加があっても本考案に含まれる。
【００６６】
例えば、前記実施例１では、客室１内の利用者の存在若しくは不在状態を検知する検知手段として、扉センサ４２及び人感センサ４０，４１が設けられているが、検知手段は、前記実施例２で示したように人感センサ５２のみ、若しくは扉センサのみで構成されてもよいし、前記したセンサに替えて、若しくはセンサに加えて、居室の入口扉を施解錠するために用いるカードキー等の入室キーであってもよく、当該入室キーで施錠した場合を利用者の不在状態とし、解錠した場合を利用者の存在状態としてもよい。
【００６７】
また、前記実施例では、電源ユニット１１からのモード設定信号を無線受信する無線受信部を有する遠隔タップ２０，３０が、所定の負荷機器として電源ソケット２８，主室用照明９Ａ，９Ｂ及び９Ｃへの電力を供給若しくは遮断するが、遠隔タップにより電力を供給若しくは遮断される所定の負荷機器は、例えば室内空調機や入口灯であってもよい。
【００６８】
また、前記実施例では、電源ユニット１１と遠隔タップ２０，３０との間で送受信されるモード設定信号は、波長が略９８０ｎｍの赤外線を用いた赤外線信号であるが、モード設定信号は、有線の信号ケーブルを用いない無線信号であれば、他のいずれかの波長の赤外線でもよいし、あるいは電波や光等を利用した信号であっても構わない。
【００６９】
また、前記実施例では、客室１の利用・非利用状態を示すモードとして、非利用モードＬ，暫定利用モードＭ及び利用モードＮの３モードの内いずれかに設定されているが、例えば非利用モード及び利用モードの２モードのみの内いずれかに設定されるものでもよい。
【符号の説明】
【００７０】
１                客室
５                開閉扉
６〜８            各照明
９Ａ，９Ｂ，９Ｃ  主室用照明
１１              電源ユニット（処理手段）
１２              室内空調機
１３              制御部
１９              赤外線送信部（無線送信部）
２０              遠隔タップ
２１              赤外線受信部（無線受信部）
２２ａ            外面パネル
２７              スイッチ部
２８              電源ソケット
３０              遠隔タップ
３１              赤外線受信部（無線受信部）
３２ａ            外面パネル
３７ａ，３７ｂ，３７ｃ  スイッチ部
４０，４１        人感センサ（検知手段）
４２              扉センサ（検知手段）
５２              人感センサ（検知手段）
【図１】
0003170884.tif 000003
【図２】
0003170884.tif 000004
【図３】
0003170884.tif 000005
【図４】
0003170884.tif 000006
【図５】
0003170884.tif 000007
【図６】
0003170884.tif 000008